【手続補正書】
【提出日】令和2年12月4日(2020.12.4)
【手続補正１】
【補正対象書類名】特許請求の範囲
【補正対象項目名】全文
【補正方法】変更
【補正の内容】
【特許請求の範囲】
【請求項１】
第１のプロセッサを含むランク付けエンジンと、
第２のプロセッサを含むユーザインターフェースと、
を含む、システムであって、
前記第１のプロセッサは、患者の複数のオカレンスを含むリストを受信し、前記リスト内の各オカレンスに対して関連性スコアを計算し、計算された前記関連性スコアは、前記リストを統制する語彙集からの関連性スコアを前記複数のオカレンスのそれぞれにマッピングする関連性スキームに従っていて、
前記第２のプロセッサは、
前記計算された関連性スコアを含む、提示された計算された関連性スコアによって順序付けられた前記リストを、ローカルコンピューティングデバイスの表示デバイスに表示し、前記複数のオカレンスのうちの表示された各オカレンスは、フィードバックインジケータを含み、
前記フィードバックインジケータによる前記複数のオカレンスのうちの１つの表示されたオカレンスについての入力を含むフィードバックを受信し、前記フィードバックインジケータは、前記１つの表示されたオカレンスが、前記リスト内で、現在の位置よりも高い位置又は低い位置に表示されるべきであることを示し、前記入力は、バイナリインジケータであり、
前記バイナリインジケータ及び規則のセットに従って、フィードバック関連性スコアを計算し、前記フィードバックは、前記フィードバック関連性スコアを含み、
前記第１のプロセッサは更に、前記複数のオカレンスのうちの少なくとも１つのオカレンスについての前記フィードバックに従って、調整された関連性スコアを計算し、前記提示された計算された関連性スコアは、前記調整された関連性スコアを含み、
前記第２のプロセッサは更に、前記調整された関連性スコアを含む、前記提示された計算された関連性スコアによって順序付けられた前記リストを、前記表示デバイスに表示し、前記複数のオカレンスのうちの表示された各オカレンスは、前記フィードバックインジケータを含む、システム。
【請求項２】
前記フィードバックを受信して格納する電子記憶装置及び１つ以上のプロセッサを含むフィードバックデータベースを更に含む、請求項１に記載のシステム。
【請求項３】
前記リストは、患者プロブレムリスト、患者投薬リスト、患者手術歴リスト及び患者の検査値リストを含む群から選択される、請求項１に記載のシステム。
【請求項４】
前記リストを表示している前記ローカルコンピューティングデバイスのユーザコンテキストに従って、複数の関連性スキームから前記関連性スキームを選択する１つ以上のプロセッサを含むコンテキストマネージャを更に含む、請求項１に記載のシステム。
【請求項５】
前記コンテキストマネージャは更に、前記リストを表示している前記ローカルコンピューティングデバイスの前記ユーザコンテキストに従って、フィードバックデータベースから前記フィードバックを選択し、
前記フィードバックは、前記フィードバックを提供したユーザのユーザコンテキストを含む、請求項４に記載のシステム。
【請求項６】
コンテキストマネージャは更に、前記リストを表示している前記ローカルコンピューティングデバイスのユーザコンテキストに従って、フィードバックデータベースからの前記フィードバックを重み付けする、請求項１に記載のシステム。
【請求項７】
ユーザコンテキストは、医療従事者の役割、医療従事者の専門分野及び臨床状況を含む群から選択される少なくとも１つを含む、請求項１に記載のシステム。
【請求項８】
患者の複数のオカレンスを含むリストを受信するステップと、
前記リスト内の各オカレンスに対して関連性スコアを計算するステップであって、計算された前記関連性スコアは、前記リストを統制する語彙集からの関連性スコアを前記複数のオカレンスのそれぞれにマッピングする関連性スキームに従っている、前記関連性スコアを計算するステップと、
前記計算された関連性スコアを含む、提示された計算された関連性スコアによって順序付けられた前記リストを、ローカルコンピューティングデバイスの表示デバイスに表示するステップであって、前記複数のオカレンスの表示された各オカレンスは、フィードバックインジケータを含む、前記計算された関連性スコアを含む前記リストを表示するステップと、
前記フィードバックインジケータによる前記複数のオカレンスのうちの１つの表示されたオカレンスについての入力を含むフィードバックを受信するステップであって、前記フィードバックインジケータは、前記１つの表示されたオカレンスが、前記リスト内で、現在の位置よりも高い位置又は低い位置に表示されるべきであることを示し、前記入力は、バイナリインジケータである、前記フィードバックを受信するステップと、
前記バイナリインジケータ及び規則のセットに従って、フィードバック関連性スコアを計算するステップであって、前記フィードバックは、前記フィードバック関連性スコアを含む、前記フィードバック関連性スコアを計算するステップと、
前記複数のオカレンスのうちの少なくとも１つのオカレンスについての前記フィードバックに従って、調整された関連性スコアを計算するステップであって、前記提示された計算された関連性スコアは、前記調整された関連性スコアを含む、前記調整された関連性スコアを計算するステップと、
前記調整された関連性スコアを含む、前記提示された計算された関連性スコアによって順序付けられた前記リストを、前記表示デバイスに表示するステップであって、前記複数のオカレンスのうちの表示された各オカレンスは、前記フィードバックインジケータを含む、前記調整された関連性スコアを含む前記リストを表示するステップと、
を含む、方法。
【請求項９】
前記フィードバックをフィードバックデータベースに格納するステップ
を更に含む、請求項８に記載の方法。
【請求項１０】
前記リストは、患者プロブレムリスト、患者投薬リスト、患者手術歴リスト及び患者の検査値リストを含む群から選択される、請求項８に記載の方法。
【請求項１１】
前記関連性スコアを計算するステップは、
前記リストを表示している前記ローカルコンピューティングデバイスのユーザコンテキストに従って、前記関連性スキームを複数の関連性スキームから選択するステップを含む、請求項８に記載の方法。
【請求項１２】
前記調整された関連性スコアを計算するステップは、
前記リストを表示している前記ローカルコンピューティングデバイスのユーザコンテキストに従って、フィードバックデータベースから前記フィードバックを選択するステップを含み、
前記フィードバックは、前記フィードバックを提供したユーザのユーザコンテキストを含む、請求項８に記載の方法。
【請求項１３】
前記調整された関連性スコアを計算するステップは、
前記リストを表示している前記ローカルコンピューティングデバイスのユーザコンテキストに従って、フィードバックデータベースからの前記フィードバックを重み付けするステップを含み、
前記フィードバックは、前記フィードバックを提供したユーザのユーザコンテキストを含む、請求項８に記載の方法。
【請求項１４】
患者の複数のオカレンスを含むリストを受信し、
前記リスト内の各オカレンスに対して関連性スコアを計算し、計算された前記関連性スコアは、前記リストを統制する語彙集からの関連性スコアを前記複数のオカレンスのそれぞれにマッピングする関連性スキームに従っていて、
計算された前記関連性スコアを含む、提示された計算された関連性スコアによって順序付けられた前記リストを、ローカルコンピューティングデバイスの表示デバイスに表示し、前記複数のオカレンスの表示された各オカレンスは、フィードバックインジケータを含み、
フィードバックインジケータによる前記複数のオカレンスのうちの１つの表示されたオカレンスについての入力を含むフィードバックを受信し、前記フィードバックインジケータは、前記１つの表示されたオカレンスが、前記リスト内で、現在の位置よりも高い位置又は低い位置に表示されるべきであることを示し、前記入力は、バイナリインジケータであり、
前記バイナリインジケータ及び規則のセットに従って、フィードバック関連性スコアを計算し、前記フィードバックは、前記フィードバック関連性スコアを含み、
前記複数のオカレンスのうちの少なくとも１つのオカレンスについての前記フィードバックに従って、調整された関連性スコアを計算し、前記提示された計算された関連性スコアは、前記調整された関連性スコアを含み、
前記調整された関連性スコアを含む、前記提示された計算された関連性スコアによって順序付けられた前記リストを、前記表示デバイスに表示し、前記複数のオカレンスのうちの表示された各オカレンスは、前記フィードバックインジケータを含む
ように、１つ以上のプロセッサを制御する命令を担持する、非一時的コンピュータ可読記憶媒体。
【請求項１５】
前記１つ以上のプロセッサは更に、
前記フィードバックをフィードバックデータベースに格納するように、制御される、請求項１４に記載の非一時的コンピュータ可読記憶媒体。
【請求項１６】
前記１つ以上のプロセッサは更に、
前記リストを表示している前記ローカルコンピューティングデバイスのユーザコンテキストに従って、複数の関連性スキームから前記関連性スキームを選択するように、制御される、請求項１４に記載の非一時的コンピュータ可読記憶媒体。
【請求項１７】
前記１つ以上のプロセッサは更に、
前記リストを表示している前記ローカルコンピューティングデバイスのユーザコンテキストに従って、フィードバックデータベースから前記フィードバックを選択するように、制御され、
前記フィードバックは、前記フィードバックを提供したユーザのユーザコンテキストを含む、請求項１４に記載の非一時的コンピュータ可読記憶媒体。
【請求項１８】
前記１つ以上のプロセッサは更に、
前記リストを表示している前記ローカルコンピューティングデバイスのユーザコンテキストに従って、フィードバックデータベースからの前記フィードバックを重み付けするように、制御され、
前記フィードバックは、前記フィードバックを提供したユーザのユーザコンテキストを含む、請求項１４に記載の非一時的コンピュータ可読記憶媒体。